(57)【要約】      （修正有）【課題】容易に模様替えできるフローリングを提供する。【解決手段】フローリング１００は、化粧板５００を嵌め込むための浅溝である化粧板嵌込み溝４００を表面側に有する床本体２００と、化粧板嵌込み溝に着脱する化粧板と、を備える。床本体は、床下地に釘で固定された床パネル２１０、２２０、２３０、２４０と、隣り合う床パネル同士の間に挟まれたスペーサ３１０、３２０と、を有し、スペーサが床パネル表面よりも一段低く設けられることにより、隣り合う床パネル同士の間に化粧板嵌込み溝が形成されるのが好ましい。化粧板を取り替えることでフローリングの模様替えが容易にできる。【選択図】図１
0003196168.tif 000002
【実用新案登録請求の範囲】
【請求項１】
化粧板を嵌め込むための浅溝である化粧板嵌込み溝を表面側に有する床本体と、
前記化粧板嵌込み溝に着脱する化粧板と、を備える
ことを特徴とするフローリング。
【請求項２】
請求項１に記載のフローリングにおいて、
前記床本体は、
床下地に釘またはネジで固定された床パネルと、
隣り合う床パネル同士の間に挟まれたスペーサと、を有し、
前記スペーサが床パネルの表面よりも一段低いことにより、隣り合う床パネル同士の間に前記化粧板嵌込み溝が形成されている
ことを特徴とするフローリング。
【請求項３】
請求項１または請求項２に記載のフローリングにおいて、
化粧板は、木材、プラスチック、ガラス、石およびタイルのいずれかからなる薄板の表面に、布、織物、樹脂シート、和紙および金属薄膜のいずれかからなるシートを貼り付けたものである
ことを特徴とするフローリング。
【請求項４】
請求項１から請求項３のいずれかに記載のフローリングにおいて、
前記化粧板嵌込み溝の側壁と、前記化粧板と、の間には当該化粧板を着脱できるように隙間がある
ことを特徴とするフローリング。
【請求項５】
請求項１から請求項４のいずれかに記載のフローリングにおいて、
前記化粧板嵌込み溝の底面および前記化粧板のいずれか一方に突起があり、
前記化粧板嵌込み溝の底面および前記化粧板のいずれか他方に前記突起を受け入れる凹部がある
ことを特徴とするフローリング。
【請求項６】
化粧板を嵌め込むための浅溝である化粧板嵌込み溝を表面側に有する床本体と、
前記化粧板嵌込み溝に着脱する化粧板と、を備えるフローリングであって、
前記床本体は、床下地に釘またはネジで固定された床パネルで構成され、
前記床パネルには、その表面が浅く切削されることで化粧板嵌込み溝が凹設されている
ことを特徴とするフローリング。
【請求項７】
化粧板を嵌め込むための浅溝である化粧板嵌込み溝を表面側に有する本体と、
前記化粧板嵌込み溝に着脱する化粧板と、を備える
ことを特徴とする腰板。
【考案の詳細な説明】
【技術分野】
【０００１】
本考案は、フローリングおよび腰板に関する。詳しくは、模様替えが簡単にできるフローリングおよび腰板に関する。
【背景技術】
【０００２】
洋風の居室等において床を板張りにするいわゆるフローリング仕上げが行われている。フローリング仕上げの施工にあたっては、床パネル（床材）を床下地に釘で固定するという方法がとられる。フローリングは洋風の居室に合う美観であり、掃除が楽であるなど利点もあるが、しいて欠点を挙げるとすると、張り替えが難しいという点が挙げられる。そこで、特許文献１や特許文献２には張り替えが容易にできる床材の取付け構造が提案されている。
【先行技術文献】
【特許文献】
【０００３】
【特許文献１】特開平５−３０２４２５号公報
【特許文献２】特許５０７７２８３号公報
【考案の概要】
【考案が解決しようとする課題】
【０００４】
上記特許文献の方法によれば、床パネル自体を釘で固定しなくてもよい。そのため、床パネルの張り替えが容易になるというものである。なるほど、フローリングにも耐用年数があるので、床パネルを総張り替えするようなリフォームのときには便利かもしれない。しかしながら、床パネルを剥がして張り替えるというのはやはり大がかりな工事になるし費用も掛かるのであって日々の生活のなかで頻繁にできることではない。
【０００５】
日本には四季がある。そこで、例えば、春夏秋冬に合わせて部屋の模様替えをしたいという潜在的ニーズがあると見込まれる。カーテンや掛け軸、壁紙クロスを取り替えるようにフローリングや腰板を模様替えできればよいと考えられる。さらには、ホテルや旅館、レストラン、商業施設などでも足元のフローリングを模様替えできれば集客効果があると期待される。
【０００６】
本考案の目的は、容易に模様替えできるフローリングおよび腰板を提供することにある。
【課題を解決するための手段】
【０００７】
本考案のフローリングは、
化粧板を嵌め込むための浅溝である化粧板嵌込み溝を表面側に有する床本体と、
前記化粧板嵌込み溝に着脱する化粧板と、を備える
ことを特徴とする。
【０００８】
本考案では、
前記床本体部は、
床下地に釘またはネジで固定された床パネルと、
隣り合う床パネル同士の間に挟まれたスペーサと、を有し、
前記スペーサが床パネルの表面よりも一段低いことにより、隣り合う床パネル同士の間に前記化粧板嵌込み溝が形成されている
ことが好ましい。
【０００９】
本考案では、
前記化粧板は、木材、プラスチック、ガラス、石およびタイルのいずれかからなる薄板の表面に、布、織物、樹脂シート、和紙および金属薄膜のいずれかからなるシートを貼り付けたものである
ことが好ましい。
【００１０】
本考案では。
前記化粧板嵌込み溝の側壁と、前記化粧板と、の間には当該化粧板を着脱できるように隙間がある
ことが好ましい。
【００１１】
本考案では、
前記化粧板嵌込み溝の底面および前記化粧板のいずれか一方に突起があり、
前記化粧板嵌込み溝の底面および前記化粧板のいずれか他方に前記突起を受け入れる凹部がある
ことが好ましい。
【００１２】
本考案のフローリングは、
化粧板を嵌め込むための浅溝である化粧板嵌込み溝を表面側に有する床本体と、
前記化粧板嵌込み溝に着脱する化粧板と、を備えるフローリングであって、
前記床本体は、床下地に釘またはネジで固定された床パネルで構成され、
前記床パネルには、その表面が浅く切削されることで化粧板嵌込み溝が凹設されている
ことを特徴とする。
【００１３】
本考案の腰板は、
化粧板を嵌め込むための浅溝である化粧板嵌込み溝を表面側に有する本体と、
前記化粧板嵌込み溝に着脱する化粧板と、を備える
ことを特徴とする。
【００１４】
そして、本考案により、
異なるデザインの化粧板を複数用意し、
化粧板嵌込み溝に嵌まっている化粧板を交換する、
ことによりフローリングの模様替えを行うことができる。
【図面の簡単な説明】
【００１５】
【図１】フローリング１００の第１実施形態を示す図
【図２】化粧板５００を化粧板嵌込み溝４００に着脱する様子を示す図。
【図３】化粧板を例示する図。
【図４】化粧板５００と化粧板嵌込み溝の底面とに嵌合する凹凸を設けた場合を例示する図。
【図５】化粧板を交換する様子を示す図。
【図６】フローリングの施工を説明するための図。
【図７】フローリングの施工を説明するための図。
【図８】スペーサの変形例を示す図。
【図９】スペーサの変形例を示す図。
【図１０】変形例として腰板を示す図。
【図１１】化粧板嵌込み溝４００を有した床板パネル２５０を例示する図。
【考案を実施するための形態】
【００１６】
本考案の実施形態を図示するとともに図中の各要素に付した符号を参照して説明する。
（第１実施形態）
図１は、本考案に係るフローリング１００の第１実施形態を示す図である。
本実施形態のフローリング１００は、床本体２００と、床本体２００に着脱する化粧板５００と、を備えるものである。
床本体は２００、床パネル２１０、２２０、２３０、２４０と、スペーサ３１０、３２０と、で構成されている。
床パネル２１０、２２０、２３０、２４０としては、従来のフローリングに用いられている床パネルと基本的に同じものでよい。
ここでは、長尺の床パネルは、一側面に雄実２１０Ａ、２２０Ａ、２３０Ａ、２４０Ａを有し、他側面に雌実２１０Ｂ、２２０Ｂ、２３０Ｂ、２４０Ｂを有する。
【００１７】
図１中においては、４枚の床パネルを明示的に示している。
（もちろん、紙幅の都合上、他の床パネルは省略したのである。）
図１中において、４枚の床パネルを左から床パネル２１０、床パネル２２０、床パネル２３０、床パネル２４０とする。床パネル２２０と床パネル２３０とは実接ぎによって隙間無く接合されている。これは、従来のフローリングの施工と同じである。このように隣接する床パネル同士を隙間無く実接ぎしていくと従来と同じように隙間無く床パネルが敷き詰められたフローリングができあがる。
【００１８】
床パネル２１０と床パネル２２０との間、および、床パネル２３０と床パネル２４０との間には所定幅の間隔があけられている。この間隔にスペーサ３１０、３２０が配置されている。
【００１９】
スペーサ３１０、３２０は、薄板であり、ここでは上下に二枚重ねられている。
一のスペーサの厚みは、床パネルの厚みのおよそ三分の一である。
スペーサを二枚重ねると、床パネルの厚みのおよそ三分の二になる。
二枚重ねのスペーサが床パネル２１０と床パネル２２０との間に配置されると、床パネル２１０と床パネル２２０との間に凹みができる。
この凹みを化粧板嵌込み溝４００と称することにする。
ここでは、化粧板嵌込み溝４００の深さは、床パネルの厚みのおよそ三分の一である。
【００２０】
化粧板５００は、化粧板嵌込み溝４００に嵌まる幅および厚みを有する。
図２は、化粧板５００を化粧板嵌込み溝４００に着脱する様子を示す図である。
化粧板５００は、その表面に模様を有する。化粧板５００は、例えば、木質の板材５１０に模様を付したものである。例えば、図３に示すように、模様付きの布地や織物５２０を板材５１０に貼り付けてもよい。布織物の他、樹脂シート、紙（和紙）、金属薄膜（金箔や類似の外観を呈する合金等）を板材５１０に貼り付けたりラッピングしたりしてもよい。あるいは、転写技術によって板材５１０の表面に模様を転写してもよい。
【００２１】
化粧板５００としてはデザイン的な観点から多種多様なものが考えられる。化粧板５００の素材としては木質に限られず、プラスチック、ガラス、石、タイルなどが挙げられる。模様の付け方としても、素材の模様をそのまま活かしてもよいし、模様を彫り込んでもよいであろう。あるいは、透明や半透明のプラスチックやガラスに電飾（ＬＥＤ）を埋め込むなども考えられるであろう。
【００２２】
化粧板５００を化粧板嵌込み溝４００に嵌めたときには、床パネル２１０、２２０、２３０、２４０と化粧板５００とは面一になる。
化粧板５００を化粧板嵌込み溝４００に嵌めたとき、床パネル２１０、２２０（すなわち化粧板嵌込み溝の側壁）と化粧板５００との間には遊びがないようにピッタリ嵌まるようになっているとよい。
ただし、圧入になるほど化粧板５００を化粧板嵌込み溝４００に強く押し込んでしまうようでは化粧板５００が簡単には交換できなくなってしまう。
そこで、例えば、化粧板５００と床パネル（すなわち化粧板嵌込み溝の側壁）との間に薄い金属片が入る程度の隙間が溝に沿って続いていてもよい。あるいは、隙間は一連に続いていなくても部分的であってもよい。
床は基本的には踏むものであるので、化粧板嵌込み溝４００の深さがある程度の深さ、例えば、５ｍｍ程度以上の深さがあれば、床パネル２１０、２２０（すなわち化粧板嵌込み溝の側壁）と化粧板５００との間に隙間（０．数ｍｍの隙間）があっても気になるほどガタついたりするようなことはない。
【００２３】
化粧板５００と床パネル（すなわち化粧板嵌込み溝の側壁）との間に少し広め隙間（例えば１ｍｍから２ｍｍ程度の隙間）を設ける場合にあっては、化粧板５００が動かないよう、スペーサ３２０（すなわち化粧板嵌込み溝の底面）と化粧板５００とが凹凸で嵌合するようになっていてもよい。
図４では、化粧板５００の裏面に突起５００Ａを設け、スペーサ３２０（すなわち化粧板嵌込み溝の底面）に凹部３２０Ｂを設けている。
もちろん、逆に、化粧板の裏面に凹部があって、スペーサ（すなわち化粧板嵌込み溝の底面）に突起があってもよい。
この嵌合は水平方向にガタつきがないようにできればよいので浅い嵌合でよい（例えば数ｍｍ程度）。
嵌合が深すぎると抜けなくなって模様替えがやりにくくなる。
【００２４】
化粧板５００の長さに関していえば、長すぎない方がよいであろう。
例えば、数十ｃｍ（３０ｃｍから４０ｃｍ）といった長さで区切られている方がよい。
床パネル２１０−２４０やスペーサ３１０、３２０は一度設置してしまえば取り替えることは基本的にはない。したがって、例えばメートル単位の長さであってもよい。
一方、化粧板５００は一般の人が時々交換することを想定している。従って、一般の人が扱いやすい長さで区切られていた方がよい。仮に、床パネルの長さがメートル単位で、化粧板嵌込み溝もメートル単位の長さで一連に繋がっているとしても、化粧板は数十ｃｍ単位で区切られていた方がよい。
【００２５】
化粧板５００としては、デザインが異なるものを２パターン以上用意しておくとよい。そして、図５に示すように、化粧板５００、５００を入れ替える。これによりフローリングの一部が変わり、フローリングを模様替えしたようになる。季節ごとに季節に合ったデザインの化粧板に替えるとよいであろう。商業施設であれば商品やサービスの宣伝広告に用いることもできる。
【００２６】
図６、図７を参照して本実施形態のフローリングの施工について説明しておく。
床パネル２２０は、床下地６００に配置し、釘６０１で固定する（Ａ）。次、床パネル２３０は、実接ぎで床パネル２２０の隣に敷設する（Ｂ）。
【００２７】
さて、次に、床パネル２３０の隣にスペーサ３１０を配置し（Ｃ）、さらに、スペーサ３１０の上にスペーサ３２０を配置する（Ｄ）。ちなみに、スペーサ３１０、３２０が二枚に別れているのは、実を有する床パネルの間にスペーサを配置するのにこの方が楽だからである。スペーサ３１０は雄実２３０Ａの下の空間を埋め、スペーサ３２０は、雄実２３０Ａと雌実２４０Ｂとの間を埋めている。これに対し、図８のように一体的なスペーサ３３０を用意してもよい。この場合、部品点数が減り、施工が簡単になるというメリットがある（図９参照）。
【００２８】
続いて、スペーサ３１０、３２０の隣に床パネル２４０を配置して釘で固定する（Ｅ）。このような作業を続けていき、床パネル２１０、２２０、２３０、２４０およびスペーサ３１０、３２０で床下地６００を覆う。最後に、化粧板嵌込み溝に化粧板を嵌め込む。これにより、フローリングが完成する。そして、ユーザの希望に合わせて化粧板５００を時々取り替えるようにするとよい。化粧板５００を取り替えるだけであれば特別な技量は必要ない。ユーザ自身の手で化粧板５００を取り替えることは容易である。
【００２９】
（変形例１）
上記第１実施形態では、フローリングの場合を例示した。本考案の適用範囲としてはフローリングに限られない。例えば図１０のような腰板700に適用してもよい。
床板パネルを腰板パネルと読み替えればよいので詳細な説明は省略する。
【００３０】
さらには、床（フローリング）ではなく、ホテルや商業施設の受け付けカウンターや、ダイニングテーブルなど、板敷きできるものであれば本考案を適用できる。
【００３１】
（変形例２）
上記実施形態では基本的に既存の床板パネルを利用することを前提とし、化粧板嵌込み溝４００を作るために床板パネル同士の間にスペーサ３１０、３２０を挟むこととしていた。
このほか、例えば、図１１に示すように、化粧板嵌込み溝４００を有した床板パネル２５０を別途制作してもよい。
つまり、床板パネル２５０を削って化粧板嵌込み溝４００を形成すればよい。
【００３２】
本考案によれば次の効果を奏する。
（１）化粧板５００が着脱可能であるので、ユーザがその時々に応じて化粧板を取り替えることができる。これにより、フローリングの模様替えができる。これまでのフローリングで模様替えするとなれば、それはリフォーム工事となり、専門業者に頼むしかなく、費用も掛かった。この点、本実施形態では、化粧板５００は交換することを前提にしているので、外したいときには外れるようにしてあるし、一般の人が扱い易いようにしてある。したがって、一般の人でもフローリングの模様替えを行うことができる。
【００３３】
（２）フローリングの表面の模様を替えるだけであれば、例えば、シートを敷いたりシールを貼ったりすることでも見た目の模様は変わるかもしれない。しかしながら、簡単に想像できるように、シートやシールでは安っぽさの印象は払拭できない。素材の安っぽさが如実に出てしまうだろうし、貼り方によっては部分的に浮いてしまったり、隅がめくれて少し剥がれてしまったりといったことがどうしても見た目の安っぽさに繋がってしまう。
この点、本実施形態のように化粧板５００を溝に嵌め込むようにすれば化粧板５００もフローリングの一部となって一体感がでる。そして、化粧板をしっかりした素材（木材、布織物や石など）で作成していれば高級感を出すこともできる。
【００３４】
（４）化粧板５００の下にはスペーサ３１０、３２０を配置しているので、化粧板500の下には隙間がない。化粧板５００を踏みしめたとしても凹んだりすることもなく普通のフローリングと変わらない感触になる。
【００３５】
なお、本発明は上記実施の形態に限られたものではなく、趣旨を逸脱しない範囲で適宜変更することが可能である。
化粧板嵌込み溝をどの程度設けるかは任意であり、全ての床板パネルの間に化粧板嵌込み溝ができるようにしてもよい。
【００３６】
化粧板の幅については特段の制限があるわけではないが、例えば、床パネルの幅と同じにするとよい。フローリングが同幅に仕切られるので見た目に安定感がでる。
あるいは、化粧板の幅を床板パネルの幅とは異なるようにしてもよい。例えば、化粧板の幅を床板パネルの幅の半分にすれば、細身の化粧板はシンプルでシャープな印象を与えるであろう。
あるいは、化粧板の幅を床板パネルの幅の倍にすれば、模様が大きく見えるので華やかな感じを与えるのによいであろう。
このように、化粧板の幅は、床板パネルの幅に対して０．５倍から２倍程度の間で任意に選択すればよい。
床パネルの幅が例えば４００ｍｍであれば、化粧板の幅を４００ｍｍにするのが素直であるが、化粧板の幅は２００ｍｍから８００ｍｍの間で選択できる。
【００３７】
床パネルは木質であることが通常であるが、合板に特殊シートを貼って大理石調の模様を呈したしたものなどでもよい。
【符号の説明】
【００３８】
１００…フローリング、２００…床本体、２１０、２２０、２３０、２４０、２５０…床パネル、３１０、３１０、３２０…スペーサ、４００…化粧板嵌込み溝、５００…化粧板、５１０…板材、５２０…布／織物。
【図１】
0003196168.tif 000003
【図２】
0003196168.tif 000004
【図３】
0003196168.tif 000005
【図４】
0003196168.tif 000006
【図５】
0003196168.tif 000007
【図６】
0003196168.tif 000008
【図７】
0003196168.tif 000009
【図８】
0003196168.tif 000010
【図９】
0003196168.tif 000011
【図１０】
0003196168.tif 000012
【図１１】
0003196168.tif 000013